(57)【要約】【課題】  負荷の始動時における負荷への過大な電力供給を防止できる発電機を提供すること。【解決手段】  エンジン１２により駆動され交流電流を発電するオルタネータ１１と、オルタネータ１１が発電した交流電流を直流電流に変換するコンバータ１４と、コンバータ１４で変換された直流電流を蓄電するキャパシタ１６と、コンバータ１４で変換された直流電流とキャパシタ１６に充電された電荷を任意の周波数の交流電流に変換し負荷に供給する三相インバータ１５とを有し、三相インバータ１５が、ＰＷＭ制御における変調率を変化させることにより、負荷１７に供給する交流電流を制御する発電機１０において、三相インバータ１５への入力電流が、所定の制限電流値を越えたときに、変調率をマイナスに補正し、三相インバータ１５への入力電流が、所定の制限電流値以下のときに、変調率をプラスに補正すること、を特徴とする。【選択図】        図４
2017028854.tif 000002
【特許請求の範囲】
【請求項１】
エンジンにより駆動され交流電流を発電するオルタネータと、前記オルタネータが発電した交流電流を直流電流に変換するコンバータと、前記コンバータで変換された直流電流を蓄電するキャパシタと、前記コンバータで変換された直流電流と前記キャパシタに充電された電荷を任意の周波数の交流電流に変換し負荷に供給するインバータとを有し、
前記インバータが、ＰＷＭ制御における変調率を変化させることにより、前記負荷に供給する前記交流電流を制御する発電機において、
前記インバータへの入力電流が、所定の制限電流値を越えたときに、前記変調率をマイナスに補正し、前記インバータへの入力電流が、所定の制限電流値以下のときに、前記変調率をプラスに補正すること、
を特徴とする発電機。
【請求項２】
請求項１に記載する発電機において、
前記所定の制限電流値が、前記インバータの定格入力電力値を前記インバータの定格入力電圧値で除した値であること、
を特徴とする発電機。
【請求項３】
請求項１または請求項２に記載する発電機において、
前記発電機が、建設現場用発電機であること、
を特徴とする発電機。
【発明の詳細な説明】
【技術分野】
【０００１】
本発明は、エンジンにより駆動され交流電流を発電するオルタネータと、オルタネータが発電した交流電流を直流電流に変換するコンバータと、コンバータで変換された直流電流を蓄電するキャパシタと、コンバータで変換された直流電流とキャパシタに充電された電荷を任意の周波数の交流電流に変換し負荷に供給するインバータとを有し、インバータが、ＰＷＭ制御における変調率を変化させることにより、負荷に供給する交流電流を制御する発電機に関するものである。
【背景技術】
【０００２】
従来、特許文献１に記載されているように、エンジンにより駆動され交流電力を発電するオルタネータと、オルタネータが発電した交流電流を直流電流に変換するコンバータと、コンバータで変換された直流電流を蓄電するキャパシタと、コンバータで変換された直流電流とキャパシタに充電された電荷を任意の周波数の交流電力に変換し負荷に供給するインバータとを有する発電機が広く使用されている。
そして、負荷を始動した時に発生する突入電力を供給するためにキャパシタを利用することは、特許文献２に記載されている。
【先行技術文献】
【特許文献】
【０００３】
【特許文献１】特開2013-013308号公報
【特許文献２】特開2011-256729号公報
【発明の概要】
【発明が解決しようとする課題】
【０００４】
しかしながら、従来の発電機には、次のような問題があった。
すなわち、インバータ等を使わずに、オルタネータから直接負荷に交流電流を供給している場合には、負荷が始動して突入電流が流れた場合に、オルタネータのインピーダンスによって出力電圧が低下するため、負荷に流れる電流が抑えられ、オルタネータに過大な負荷がかかることはない。
しかし、インバータを用いて突入電流を供給する場合には、インバータが出力電圧実効値を維持しようとする。この時、キャパシタが突入電流を供給するが、インバータが出力電圧実効値を維持しようとするので、インバータが無い場合に比べて必要電力が多くなる。この必要電力をまかなうために、キャパシタを大きくする必要があり、コスト増につながる問題があった。
【０００５】
本発明は、上記課題を解決して、負荷の始動時における負荷への過大な電力供給を防止できるコンバータ、キャパシタ、及びインバータを備える発電機を提供することを目的とする。
【課題を解決するための手段】
【０００６】
上記目的を達成するために、本発明の発電機は、次の構成を有している。
（１）エンジンにより駆動され交流電流を発電するオルタネータと、オルタネータが発電した交流電流を直流電流に変換するコンバータと、コンバータで変換された直流電流を蓄電するキャパシタと、コンバータで変換された直流電流とキャパシタに充電された電荷を任意の周波数の交流電流に変換し負荷に供給するインバータとを有し、インバータが、ＰＷＭ制御における変調率を変化させることにより、負荷に供給する前記交流電流を制御する発電機において、インバータへの入力電流が、所定の制限電流値を越えたときに、変調率をマイナスに補正し、インバータへの入力電流が、所定の制限電流値以下のときに、変調率をプラスに補正すること、を特徴とする。
（２）（１）に記載する発電機において、前記所定の制限電流値が、前記インバータの定格入力電力値を前記インバータの定格入力電圧値で除した値であること、
を特徴とする。
（３）（１）または（２）に記載する発電機において、前記発電機が建設現場用発電機であること、を特徴とする。
【発明の効果】
【０００７】
本発明の発電機は、次のような作用、効果を奏する。
（１）エンジンにより駆動され交流電流を発電するオルタネータと、オルタネータが発電した交流電流を直流電流に変換するコンバータと、コンバータで変換された直流電流を蓄電するキャパシタと、コンバータで変換された直流電流とキャパシタに充電された電荷を任意の周波数の交流電流に変換し負荷に供給するインバータとを有し、インバータが、ＰＷＭ制御における変調率を変化させることにより、負荷に供給する交流電流を制御する発電機において、インバータへの入力電流が、所定の制限電流値を越えたときに、変調率をマイナスに補正し、インバータへの入力電流が、所定の制限電流値以下のときに、変調率をプラスに補正すること、を特徴とするので、負荷が始動され突入電流が流れた時に、インバータを用いて突入電流を供給する時には、インバータが出力実効電圧値を維持しようとするが、インバータへの入力電流が大きくなると、変調率をマイナスに補正して出力電圧を降下させるため、キャパシタからの突入電流のピーク値の低減に寄与し、キャパシタの容量を小さくすることができる。
【０００８】
（２）（１）に記載する発電機において、前記所定の制限電流値が、前記インバータの定格入力電力値を前記インバータの定格入力電圧値で除した値であること、を特徴とするので、すなわち、制限電流値をインバータの定格入力電力値（例えば、５．０ｋＷ）を定格入力電圧値（例えば、４００Ｖ）で除した値（例えば、１２．５Ａ）としているため、負荷への電力供給が過大になることがなく、キャパシタから必要以上の電荷放出がなくなるため、キャパシタを小型化してコスト低減できる。
【０００９】
（３）（１）または（２）に記載する発電機において、前記発電機が建設現場用発電機であること、を特徴とする。負荷として照明等が使用されている場合には、照明がついた後、電圧が下がると一時的に暗くなり問題である。しかし、建設現場では、主たる負荷は送風機や排水ポンプ等のモータであるため、モータの出力が一時的に低下しても問題がない。
【図面の簡単な説明】
【００１０】
【図１】本発明の１実施例である発電機１０の構成を示す図である。
【図２】発電機１０の作用、効果を示すデータ図である。
【図３】従来の発電機の作用、効果を示すデータ図である。
【図４】インバータ制御手段１８１の内容を示すフローチャートである。
【発明を実施するための形態】
【００１１】
本発明の発電機１０の一実施の形態について、図面を参照しながら、詳細に説明する。図１に、発電機１０の基本構成を示す。
エンジン１２の駆動軸に、交流電流を発電するオルタネータ１１が接続している。エンジン１２には、エンジン制御装置であるＥＣＵ１３が接続している。
オルタネータ１１には、交流電流を直流電流に変換するコンバータ１４が接続している。コンバータ１４には、直流電流を蓄電するキャパシタ１６、及び直流電流を任意の周波数の交流電力に変換し、負荷１７に供給する三相インバータ１５が接続している。キャパシタ１６は、三相インバータ１５にも接続している。三相インバータ１５には、負荷１７が接続されている。
三相インバータ１５、ＥＣＵ１３には、制御装置１８が接続している。発電機１０は、オルタネータ１１、エンジン１２、ＥＣＵ１３、コンバータ１４、三相インバータ１５、キャパシタ１６、及び制御装置１８を備えている。
【００１２】
三相インバータ１５は、入力電流を計測する電流センサを備え、計測された入力電流は、制御装置１８に読み込まれる。制御装置１８は、インバータ制御手段１８１を有している。
インバータ制御手段１８１の内容を、図４にフローチャートで示し、説明する。
始めに、三相インバータ１５のＰＷＭ制御における変調率を計算する（Ｓ１１）。変調率の計算は、三相インバータ１５への入力電圧に基づいて計算される。
【００１３】
次に、三相インバータ１５への入力電流値が、所定の制限電流値を越えていないか否か判断する（Ｓ１２）。入力電流値が所定の制限電流値を越えていれば（Ｓ１２；ＹＥＳ）、現在の補正値から所定のステップ値をマイナスしたものを補正値とする（Ｓ１３）。また、入力電流値が所定の制限電流値を越えていなければ（Ｓ１２；ＮＯ）、現在の補正値に所定のステップ値をプラスしたものを補正値とする（Ｓ１４）。
ここで、所定の制限電流値としては、本実施例では、インバータの定格入力電力値である５ｋＷをインバータの定格入力電圧である４００Ｖで除した値である１２．５Ａとしている。
【００１４】
次に、新たな補正値が、補正最大値を越えている場合には（Ｓ１５；ＹＥＳ）、補正最大値を新たな補正値とする（Ｓ１７）。補正最大値を越えておらず（Ｓ１５；ＮＯ）、補正最小値未満ならば（Ｓ１６；ＹＥＳ）、補正最小値を新たな補正値とする（Ｓ１８）。補正最小値以上ならば（Ｓ１６；ＮＯ）、Ｓ１３またはＳ１４で算出した補正値を新たな補正値として、変調率を補正する（Ｓ１９）。そして、Ｓ１１に戻る。
【００１５】
次に、上記構成を有する発電機の作用及び効果について説明する。
始めに、従来の発電機の作用及び効果について説明する。図３に変調率を一定とした場合の従来の作用を示す。いずれのグラフも横軸は時間経過を示し、Ｔ１は負荷投入タイミングを示し、Ｔ２はキャパシタ１６への充電開始タイミングを示す。
（ａ）の縦軸は三相インバータ１５への入力電流値（Ａ；アンペア）を示し、（ｂ）の縦軸は変調率（％）の変化を示し、（ｃ）の縦軸は三相インバータ１５の出力電圧実効値（Ｖｒｍｓ）を示し、（ｄ）の縦軸は負荷電力（ｋＷ）を示す。
【００１６】
（ｄ）に示すように、負荷１７、例えば建築現場において、送風機用のモータが１秒のタイミングで始動された場合、始動後突入電力が３秒程度の期間、最大電力値７ｋＷが必要となる。
この負荷１７に対して、（ａ）に示すように、突入電流が３秒程度の期間、最大電流値１７Ａ流れる。この電流は主として、キャパシタ１６から供給される。キャパシタ１６は数秒間突入電流を流すのには適している。インバータ１５は出力電圧実効値を維持しようとする。
そのため、（ｄ）に示すように、負荷１７に流れる負荷電力は７ｋＷまで上昇してしまう。これにより、キャパシタ１６からの供給電力量が大きくなるため、キャパシタ１６を大型化する必要があり、コスト増になる。
【００１７】
次に、本発明の発電機１０の作用及び効果について図２を用いて説明する。図２においては、いずれのグラフも横軸は時間経過を示し、１秒のタイミングで負荷投入された場合を示す。
（ａ）の縦軸は三相インバータ１５への入力電流値を示し、（ｂ）の縦軸は変調率の変化を示し、（ｃ）の縦軸は三相インバータ１５の出力電圧実効値を示し、（ｄ）の縦軸は負荷１７に供給される負荷電力を示す。
図３の（ｄ）に示すように、負荷、例えば、建築現場における送風機用のモータが１秒のタイミングで始動された場合、始動後突入電力が３秒程度の期間、最大電力値７ｋＷ流れる。
【００１８】
本実施例では、図４のフローチャートのＳ１２〜Ｓ１８に示し、（ｂ）に示すように、三相インバータ１５への入力電流値が１２．５Ａを越える場合には、変調率を低下させているので、（ｃ）に示すように、三相インバータ１５の出力電圧実効値が１５０Ｖｒｍｓまで低下するため、負荷１７に供給される電力は、５ｋＷを越えることがない。
これにより、負荷始動時に必要な電力が７ｋＷから５ｋＷになったため、キャパシタ１６から供給される電力量が減り、キャパシタ１６を小さくしてコスト低減できる。
【００１９】
以上詳細に説明したように、本実施例の発電機１０によれば、
（１）エンジン１２により駆動され交流電流を発電するオルタネータ１１と、オルタネータ１１が発電した交流電流を直流電流に変換するコンバータ１４と、コンバータ１４で変換された直流電流を蓄電するキャパシタ１６と、コンバータ１４で変換された直流電流とキャパシタ１６に充電された電荷を任意の周波数の交流電流に変換し負荷に供給する三相インバータ１５とを有し、三相インバータ１５が、ＰＷＭ制御における変調率を変化させることにより、負荷１７に供給する交流電流を制御する発電機１０において、三相インバータ１５への入力電流が、所定の制限電流値を越えたときに、変調率をマイナスに補正し、三相インバータ１５への入力電流が、所定の制限電流値以下のときに、変調率をプラスに補正すること、を特徴とするので、負荷１７が始動され突入電流が流れた時に、三相インバータ１５を用いて突入電流を供給する時には、三相インバータ１５が出力実効電圧値を維持しようとするが、三相インバータ１５への入力電流が大きくなると、変調率をマイナスに補正して出力電流を低減させるため、キャパシタ１６からの突入電流のピーク値の低減に寄与し、キャパシタ１６の容量を小さくすることができ、コスト低減できる。
【００２０】
（２）（１）に記載する発電機１０において、所定の制限電流値が、三相インバータ１５の定格入力電力値を三相インバータ１５の定格入力電圧値で除した値であること、を特徴とするので、すなわち、制限電流値を三相インバータ１５の定格入力電力値（例えば、５．０ｋＷ）を三相インバータ１５の定格入力電圧値（例えば、４００Ｖ）で除した値（例えば、１２．５Ａ）としているため、負荷への電力供給が過剰になることがなく、キャパシタ１６から必要以上の電荷放出がなくなるため、キャパシタ１６を小型化してコスト低減できる。
【００２１】
（３）（１）または（２）に記載する発電機において、発電機１０が建設現場用発電機であること、を特徴とする。負荷１７として照明等が使用されている場合には、照明がついた後、電圧が下がると一時的に暗くなり問題である。しかし、建設現場では、主たる負荷１７は送風機、排水ポンプ等のモータであるため、モータの出力が一時的に低下しても問題がない。
【００２２】
本発明の発電機については、上記実施の形態に限定されることなく、色々な応用が可能である。
例えば、本実施例では、所定の制限電流値を三相インバータ１５の定格入力電力値を三相インバータ１５の定格入力電圧値で除した値としているが、その値未満であっても良い。
【符号の説明】
【００２３】
１０  発電機
１１  オルタネータ
１２  エンジン
１３  ＥＣＵ
１４  コンバータ
１５  三相インバータ
１６  キャパシタ
１７  負荷
１８  制御装置
１８１  インバータ制御手段
【図１】
2017028854.tif 000003
【図２】
2017028854.tif 000004
【図３】
2017028854.tif 000005
【図４】
2017028854.tif 000006